(57)【要約】【課題】  従来の発光フロアマットとは比較にならない程の顕著な視覚的機能を発揮すると共に、アイキャッチ効果が飛躍的に増大すると共に、宣伝広告用もしくは各種告知用として最適な発光性敷物及びフロアマットを提供すること。【解決手段】  宣伝広告用或いは各種告知用の敷物において、少なくとも敷物本体の表面の一部を発光性シートにて形成すると共に、該発光性シート上に宣伝広告用或いは各種告知用の表示を行うかもしくは発光性シート自体に前記表示を行わせる。敷物としてフロアマットが最適であり、宣伝広告用として特に有効である。【選択図】  図１
2006305039.tif 000002
【特許請求の範囲】
【請求項１】
宣伝広告用或いは各種告知用の敷物において、少なくとも敷物本体の表面の一部を発光性シートにて形成すると共に、該発光性シート上に宣伝広告用或いは各種告知用の表示を行うかもしくは発光性シート自体に前記表示を行わせることを特徴とする発光性敷物。
【請求項２】
各種建屋の出入口に敷いて使用するフロアマットにおいて、少なくともマット本体の表面の一部を１箇所もしくは複数箇所任意の形状に切り欠いてその切欠き部に発光性シートを配置すると共に、該発光性シート上に適宜の文字、記号及び／又は図形を表示した広告・告知シート、もしくは写真フィルムを載せ、これらを透明カバーで被覆したことを特徴とする発光性フロアマット。
【請求項３】
発光性シート以外のマット本体表面には当該マットを使用する会社名、店舗名もしくは施設名等が表示され、発光性シート上の広告シートにはマット使用者或いは使用者以外の商品の宣伝広告用或いは各種告知用の表示がなされていることを特徴とする請求項２記載の発光性フロアマット。
【請求項４】
発光性シートは、無機ＥＬ、有機ＥＬ又はＬＥＤのいずれかであることを特徴とする請求項１〜３のいずれかに記載の発光性敷物もしくはフロアマット。
【発明の詳細な説明】
【技術分野】
【０００１】
本発明は、宣伝広告用もしくは各種告知用の発光性敷物、店舗や会社などの入口もしくは内部の適宜位置に配設し、主に履物の塵埃除去を行うために布設するフロアマットに関するものである。
【背景技術】
【０００２】
例えば、店舗や会社などの入口もしくは内部の適宜位置に設置されるフロアマットは、履物の塵埃除去を行うことを主な機能としており、これを積極的に宣伝広告用として利用することは少なく、僅かに店舗名や会社名などをマット面に表示する程度のことが行われていたに過ぎない。勿論、マットの視覚的或いは美的な効果を発揮するために、マット表面にある種のデザインを染め付けたり、特殊プリンターでプリントすることで製作される、デザインマットといわれるマットは存在するが、これもまた積極的に宣伝広告用として利用されることは少ない。
また、人の視覚に訴える目的の発光性のマットとしては、特許文献１に開示するものが提案されているが、これはマット表面に表現する図柄や文字などの部分を、蓄光顔料を含む原料よりなる発光繊維で形成し、暗くなったときにこれら図柄などが浮かび上がるものである。
【特許文献１】特開平９―２９９２１５号公報
【発明の開示】
【発明が解決しようとする課題】
【０００３】
特許文献１の発光性マットは、発光性能の向上を目的にしており、その図柄や文字も宣伝広告的な意味合いを持つものではなく、単純な文字や絵、或いは図形程度の告知的内容しか表現できないものであり、明るさも暗所で少し目立つ程度で、宣伝広告用としては不十分であり、満足すべきものではなかった。また、一旦製作するとその文字などを変更することは不可能であり、後日その表示が不要になったときには、破棄せざるを得ず、再度これを有効利用する手立てはなかった。
本発明は、このような従来の発光フロアマットとは比較にならない程の顕著な視覚的機能を発揮すると共に、アイキャッチ効果が飛躍的に増大すると共に、従来では不可能とされた細かい文字や記号、図柄など、更には写真などのリアルな情報を表現し得るものであり、しかも、広告或いは告知の表示が不要となっても、簡単かつ安価に他の表示と交換することが可能な、宣伝広告用もしくは各種告知用の発光性敷物及びフロアマットを提供するものである。
【課題を解決するための手段】
【０００４】
上記課題解決するための本発明に係る発光性敷物は、宣伝広告用或いは各種告知用の敷物において、少なくとも敷物本体の表面の一部を発光性シートにて形成すると共に、該発光性シート上に宣伝広告用或いは各種告知用の表示を行うかもしくは発光性シート自体に前記表示を行わせることを特徴とする。この敷物は通常のフロアマット、カーペットタイル或いはパネルマットとして利用でき、各種宣伝広告用として、或いは公共的な告知用として用いることができる。
また、本発明に係る発光性フロアマットは、各種建屋の出入口に敷いて使用するフロアマットにおいて、少なくともマット本体の表面の一部を１箇所もしくは複数箇所任意の形状に切り欠いてその切欠き部に発光性シートを配置すると共に、該発光性シート上に適宜の文字、記号及び／又は図形を表示した広告・告知シート、もしくは写真フィルムを載せ、これらを透明カバーで被覆したことを特徴とする。このフロアマットでは、常に最新の商品情報を来訪者に伝達でき、宣伝広告用として最適である。
例えば、上記フロアマットは、発光性シート以外のマット本体表面には当該マットを使用する会社名、店舗名もしくは施設名等が表示され、発光性シート上の広告シートにはマット使用者或いは使用者以外の商品の宣伝広告用或いは各種告知用の表示がなされている態様が好適な例として考えられる。
なお、上記における発光性シートは、無機ＥＬ（electroluminescence）、有機ＥＬ又はＬＥＤ（発光ダイオード）のいずれかであることが好ましい。
【発明の効果】
【０００５】
本発明に係る敷物及びフロアマットは、その要部である発光性シート部分が高輝度で視認性に優れかつ視覚的な効果が大きいため、これを宣伝広告用或いは各種告知用として用いれば、極めて有用であり、広告又は告知媒体用マットとしての優れた機能を発揮する。また、発光部分が目立つことから、各種宣伝広告用の文字、図柄、写真類をこの部分に載せることで極めて有効な広告媒体となるし、また、直接写真のネガフィルムを載せてもよく、バックライトによって浮かび上がらせることができるものであればいかなるものでもよい。加えて、本発明の平面発光シートは、従来のフロアマットでは不可能とされた細かい文字や図形等を表現することができ、しかも、無機・有機ＥＬ製発光性シートは１ｍｍ以下と薄くでき、柔軟かつ軽量にできるため、その応用範囲は非常に広い。
特に、従来では単なる履物の塵埃除去機能が主体であったフロアマットに本発明を適用することによって、その優れた視認性（訴求性）で広告的価値は飛躍的に増大し、既存のマットには到底期待できない程の付加価値をもたらし、フロアマットに新しい利用分野を開拓するものである。
【発明を実施するための最良の形態】
【０００６】
以下、図面に基づいて本発明の実施形態を説明する。図１及び図２は本発明をフロアマットに適用した場合を示すもので、図１は平面図、図２は図１のＡ−Ａ矢視図である。なお、図ではフロアマットの例を示したが、フロアマット以外の場所に敷くもの、例えば、カーペットタイル、或いは場合によっては壁面に掛けるパネルなどへの本発明は適用可能である。
図において、１はフロアマット本体であり、２は該フロアマット本体の表面側の一部を切り欠いて作成した発光部、３は例えばマット表面にプリントされたマット設置者（使用者）の名称である。フロアマット自体は公知のものであり、例えば図２の左側断面に示すように、基本的には、底部の加硫ゴムからなる基部４と、その上部に位置する、ウール、アクリル、ポリエステル等からなるＵ字状のパイル糸５を刺し込んだ基布６とから構成される。
【０００７】
また、本発明の要部をなす発光部２は、図２の断面に示す如く、マット本体からパイル糸５と基布６を適当な形を切り欠き除去した箇所に配置されるもので、加硫ゴム４上に設置した薄板状発光平面シート（以下、単に発光シートと称す）７と、該発光シート７の上部に載せた所望の広告用のデザインをプリント等の手段で表示した広告シート又はフィルム（以下、単に広告シートとする）８と、更に該広告シート８の上部を被覆する保護用の透明ハードカバー（以下、単にカバーとする）９とから構成される。なお、図示していないが発光シートを実際に発光させる場合には、発光シート７に通電用の配線を接続する必要があると共に、止水などの目的である程度のシール手段を施すことも必要である。
上記発光シート７は、例えば１００〜２００Ｖ程度の電圧をかけると発光する、無機ＥＬ（electroluminescence）材料を使用し、これを発光体として使用する。現在、無機ＥＬとしては、６００ｃｄ／ｍ２という高輝度で長寿命のものも開発されており、シート全体が均一に光る面光源でかつ純白色であって、しかも１ｍｍ以下の薄型（約０．７ｍｍの厚みも可能）でフレキシブルなものであり、サイズ的にも６００×１０００ｍｍというものも可能であり、広告宣伝用のバックライトとして最適なものといえる。また、パックライトとして一定間隔で点滅させること（フラッシュ効果）で、より一層強力に視覚に訴えることもできる。
【０００８】
発光シート７と加硫ゴム４との接触部は、単に切り欠いた箇所に置くだけでよいが、適当な接着剤、接着テープ、ねじ、ピンなどの適宜な止め手段で固定してもよい。広告シート８はフィルム状のものであれば発光シート７面に貼り付けることで足りるが、シート状或いはパネル状のものであれば発光シート７面上に置くだけでもよく、いずれにしろ容易に取替え自在にしておくことが必要である。また、カバー９は発光シート７及び広告シート８の表面を被覆しこれらを保護するものであるが、該カバー９はマットの設置場所によってはかなりの人数の通過と場合によっては衝撃を受けることが考えられるので、破損し難い強度及び硬度の高いものが望ましく、通常、材料としては透明の十分な厚みのあるアクリル板が適当である。なお、実際の使用に際しては、カバー９の表層には薄層の透明フィルム（強化合成樹脂シール）を貼り付けてカバー表面をある程度弾力的にし、クッション性と滑り難さをカバーに付与することが望ましい。
【０００９】
図１では長方形の発光部を有するフロアマットを例として示したが、本発明ではこの発光部の形状及びその位置は、マット表面において任意の形状及び任意の位置でよく、目的・用途に応じて種々の態様が考えられる。図３〜図９にこれらの幾つかの態様を示す。
図３は、図１と同種のもので発光部２Ａの形状が楕円状のもの、図４は、発光部２Ｂがほぼ正方形で中央部に位置するもの、図５はマット本体１のほとんど全部を発光部２Ｃとした例を示す。これらのマットのうち、例えば、図１のものは、マットを設置する飲食店とそこに飲料を提供する飲料メーカーが広告スポンサーとして発光部２に広告を出す例、図３のものは、マットを設置する病院と製薬会社が広告スポンサーとして発光部２Ａに広告を出す例、図４のものは、マット使用者が小売店で発光部で特定商品の情報や価格を表示したい場合のマット例である。以上の例ではフロアマットとしての機能（履物の塵埃の除去など）を損なうことなく、発光部で適当な宣伝広告を行う例を示したが、図５のものは、ほぼ全面のほとんどを発光部２Ｃとした例であり、この場合は塵埃の除去というよりも広告あるいは告知面を主体としたもので、例えば装飾的な写真や絵柄など視覚的なパネルマット或いはカーペットタイルとしての機能を重視した製品（敷物）である。
【００１０】
上記に挙げた例以外にも本発明に係るマット（敷物）は、別の目的でも使用可能である。例えば、図６に示す例は、マット表面に小面積の発光部２Ｄを点在させた例、図７は、文字を発光部２Ｅで表現した例で、これ以外にも種々の告知用途に利用可能であり、公共の施設などに設置するマットの場合に有効である。告知用としてはこれ以外にも、各種お知らせ、注意情報、緊急時の情報等、種々の形態が考えられる。図８は、発光矢印で方向性を指示するとともに会社名などを発光部２Ｆで示した例、図９は、ラインの足元照明を発光部２Ｇで行う例で、この場合は発光部を定間隔で点滅させるとより効果的である。図７、８のような文字、図９のようなラインは、それ自体を発光シートで作成することは困難である場合には、一定範囲の矩形発光シートをおき、その上に文字、記号、線等の切りぬいたマスキング材を載せれば容易に所望の表示を備えた敷物が完成する。
【００１１】
本発明に係る敷物は、その発光部が非常に目立つため、視覚的効果が大きい。発光部はその輝度を調整可能とすると共に、適宜点滅させてフラッシュ効果を発揮させることも有効である。また、図示の例ではコスト面で有利な無機ＥＬの発光シートを用いた例に基づいて説明したが、本発明ではこれに限定することなく、有機ＥＬやＬＥＤ（発光ダイオード）を用いて発光シートを作成することも可能である。有機ＥＬを用いる場合には、発光部自体をそのままディスプレイとして利用し、通信技術と組合せることによって、より詳細なリアルタイムの情報や動画を配信することができる。この場合装置全体が大掛かりとなり複雑となるが、リアルタイムの情報伝達が可能となるため、災害情報など公共性の高い情報の伝達手段として利用し得る。
【実施例】
【００１２】
図１に示す態様のフロアマットを作製した。
マット：７５０×９００ｍｍ
発光部：無機ＥＬ（富士フィルムイメージテック株式会社製「ＬＵＸＳＨＥＥＴ」）
縦１５０×横６００×厚み０．８ｍｍ、輝度５００ｃｄ／ｍ２、１．５秒間隔で
点滅
広告シート：商品名を入れた写真フィルム、サイズ縦１４０×横５５０ｍｍ
透明カバー：透明アクリル板、サイズ（縦１５０×横６００×厚み３ｍｍ）
通電条件：１００Ｖ×４Ａ
上記フロアマットは、発光部が非常に視認性に優れ、昼夜を問わず目立つものであり、広告シートの商品名の訴求力は非常に大きかった。また、耐久性も十分で破損や衝撃に強く、しかも別の広告シートとの交換も容易であった。
【図面の簡単な説明】
【００１３】
【図１】本発明をフロアマットに適用した場合の平面図である。
【図２】図１のＡ―Ａ矢視断面図である。
【図３】図１の別の態様のフロアマットを示す平面図である。
【図４】本発明に係る広告用フロアマットの他の実施態様を示す平面図である。
【図５】本発明に係る広告用フロアマットの他の実施態様を示す平面図である。
【図６】本発明に係るフロアマットの他の実施態様を示す平面図である。
【図７】本発明に係る告知用フロアマットの実施態様を示す平面図である。
【図８】本発明に係る広告用フロアマットの他の実施態様を示す平面図である。
【図９】本発明に係るフロアマットの他の実施態様を示す平面図である。
【符号の説明】
【００１４】
１    マット本体                    ２、２Ａ〜２Ｇ    発光部
３    マット使用者の名称            ４    加硫ゴムの基部
５    パイル糸                      ６    基布
７    発光シート                    ８    広告シート
９    透明カバー
【図１】
2006305039.tif 000003
【図２】
2006305039.tif 000004
【図３】
2006305039.tif 000005
【図４】
2006305039.tif 000006
【図５】
2006305039.tif 000007
【図６】
2006305039.tif 000008
【図９】
2006305039.tif 000009
【図７】
2006305039.tif 000010
【図８】
2006305039.tif 000011